(57)【要約】【課題】簡易な構成でバックアップされた画像データを復元することができる画像処理装置を提供することを課題とする。【解決手段】ＭＦＰ１は、バックアップ処理（ステップＳ１）の開始時に、ファイルサーバ５から管理情報５１０を取得する（ステップＳ１１）。画像データが管理情報５１０に登録されていない場合（ステップＳ１３においてＮｏ）、ＭＦＰ１は、画像データをファイルサーバ５に作成された共有フォルダ５１にバックアップする（ステップＳ１４）。画像データが管理情報５１０に登録されている場合、ＭＦＰ１は、記憶部１７に格納されている画像データのサイズと、バックアップされた画像データのサイズを比較する（ステップＳ１５）。サイズが一致しない場合、ＭＦＰ１は、記憶部１７に格納されている画像データをファイルサーバ５に再送して、バックアップされた画像データを復元する（ステップＳ１６）。【選択図】図６
2010199965.tif 000002
【特許請求の範囲】
【請求項１】
取得した画像データを蓄積画像データとして記憶する記憶部と、
記憶装置に前記蓄積画像データをバックアップするバックアップ部と、
前記記憶装置に格納されたバックアップデータの一覧情報を取得し、前記蓄積画像データに対応するバックアップデータの内容が変更されたか否かを前記一覧情報に基づいて判定する判定部と、
前記蓄積画像データに対応するバックアップデータの内容が変更されていた場合、前記蓄積画像データを前記記憶装置に再送する再送部と、
端末装置からバックアップデータの送信要求を受け付けた場合、前記送信要求で指定されたバックアップデータを前記記憶装置から取得して前記端末装置に転送する転送部と、
を備えることを特徴とする画像処理装置。
【請求項２】
請求項１に記載の画像処理装置において、
前記判定部は、
前記蓄積画像データのサイズと、前記蓄積画像データに対応するバックアップデータのサイズとが一致するかどうかを前記一覧情報に基づいて判定するサイズ判定部、
を含むことを特徴とする画像処理装置。
【請求項３】
請求項１または請求項２に記載の画像処理装置において、
前記判定部は、
前記蓄積画像データのハッシュ値と、前記蓄積画像データに対応するバックアップデータのハッシュ値とが一致するかどうかを判定するハッシュ値判定部、
を含むことを特徴とする画像処理装置。
【請求項４】
取得した画像データを記憶装置にバックアップするバックアップ部と、
前記蓄積画像データの送信中にバックアップの中止指示を受け付けた場合、保存中の蓄積画像データの削除を前記記憶装置に指示する削除指示部と、
端末装置から前記記憶装置に格納されたバックアップデータの送信要求を受け付けた場合、前記送信要求で指定されたバックアップデータを前記記憶装置から取得して前記端末装置に転送する転送部と、
を備えることを特徴とする画像処理装置。
【発明の詳細な説明】
【技術分野】
【０００１】
本発明は、取得した画像データをバックアップする画像処理装置に関する。
【背景技術】
【０００２】
近年、ファクシミリ（ＦＡＸ）機能、スキャナ機能、コピー機能、およびプリンタ機能など様々な機能を備えた複合機（ＭＦＰ：Ｍｕｌｔｉ  Ｆｕｎｃｔｉｏｎ  Ｐｅｒｉｐｈｅｒａｌ）が、オフィスなどで広く用いられている。ＭＦＰには、ハードディスク装置などの大容量の記憶装置を内蔵した機種が存在する。ＭＦＰに内蔵された記憶装置は、ＭＦＰが受信したＦＡＸ受信データ、およびスキャナが読み取った画像データなどを記憶する。ユーザは、ＰＣ（Ｐｅｒｓｏｎａｌ  Ｃｏｍｐｕｔｅｒ）などの端末装置を操作して、ＭＦＰに保存されたＦＡＸ受信データなどをＰＣのモニタに表示させることができる。
【先行技術文献】
【特許文献】
【０００３】
【特許文献１】特開２００８−９８９４１号公報
【発明の概要】
【発明が解決しようとする課題】
【０００４】
上記記特許文献１には、内蔵する記憶装置に共有フォルダを作成し、ＦＡＸ受信データなどの画像データを共有フォルダに保存するＭＦＰが開示されている。特許文献１に係るＭＦＰは、共有フォルダに保存された画像データの内容が変更された場合、画像データの変更を検出して復元する。
【０００５】
共有フォルダに保存された画像データの変更の有無は、ファイル管理テーブルに基づいて判定される。ファイル管理テーブルは、画像データのコピーと、画像データごとに生成されたタイムスタンプデータとを対応付けている。ファイル管理テーブルは、特許文献１に係るＭＦＰにより保持される。
【０００６】
また、ＭＦＰが画像データを共有フォルダに保存している間に、保存処理が中断されることがある。この結果、共有フォルダには、不完全な状態で画像データが格納されることになる。
【０００７】
そこで、本発明は前記問題点に鑑み、ファイル管理テーブルを保持することなく、簡易な構成でバックアップされた画像データを復元することができる画像処理装置を提供することを目的とする。また、本発明は、保存処理が中断された画像データを適切に処理することができる画像処理装置を提供することを目的とする。
【課題を解決するための手段】
【０００８】
上記課題を解決するため、請求項１記載の発明は、画像処理装置であって、取得した画像データを蓄積画像データとして記憶する記憶部と、前記記憶装置に前記蓄積画像データをバックアップするバックアップ部と、記憶装置に格納されたバックアップデータの一覧情報を取得し、前記蓄積画像データに対応するバックアップデータの内容が変更されたか否かを前記一覧情報に基づいて判定する判定部と、前記蓄積画像データに対応するバックアップデータの内容が変更されていた場合、前記蓄積画像データを前記記憶装置に再送する再送部と、端末装置からバックアップデータの送信要求を受け付けた場合、前記送信要求で指定されたバックアップデータを前記記憶装置から取得して前記端末装置に転送する転送部と、を備えることを特徴とする。
【０００９】
請求項２記載の発明は、請求項１に記載の画像処理装置において、前記判定部は、前記蓄積画像データのサイズと、前記蓄積画像データに対応するバックアップデータのサイズとが一致するかどうかを前記一覧情報に基づいて判定するサイズ判定部、を含むことを特徴とする。
【００１０】
請求項３記載の発明は、請求項１または請求項２に記載の画像処理装置において、前記判定部は、前記蓄積画像データのハッシュ値と、前記蓄積画像データに対応するバックアップデータのハッシュ値とが一致するかどうかを判定するハッシュ値判定部、を含むことを特徴とする。
【００１１】
請求項４記載の発明は、取得した画像データを記憶装置にバックアップするバックアップ部と、前記蓄積画像データの送信中にバックアップの中止指示を受け付けた場合、保存中の蓄積画像データの削除を前記記憶装置に指示する削除指示部と、端末装置から前記記憶装置に格納されたバックアップデータの送信要求を受け付けた場合、前記送信要求で指定されたバックアップデータを前記記憶装置から取得して前記端末装置に転送する転送部と、を備えることを特徴とする。
【発明の効果】
【００１２】
本発明に係る画像処理装置は、蓄積画像データに対応するバックアップデータの内容が変更されたか否かを、バックアップ先の記憶装置から取得した一覧情報に基づいて判定する。これにより、本発明に係る画像処理装置は、バックアップデータを管理する構成を備えることなく、バックアップデータの内容の変更の有無を確認することができる。
【００１３】
また、本発明に係る画像処理装置は、記憶装置に取得した画像データを送信している間にバックアップの中止指示を受け付けた場合、送信中の画像データの削除を記憶装置に指示する。これにより、不完全な状態のバックアップデータが記憶装置に格納されることを防ぐことができる。
【図面の簡単な説明】
【００１４】
【図１】本発明の実施の形態に係るＭＦＰの構成を含むネットワークシステムの構成図である。
【図２】ファイルサーバにおけるフォルダ構成を示す図である。
【図３】管理情報を示す図である。
【図４】ネットワークシステムの処理の流れを示す図である。
【図５】ＰＣのモニタに表示される選択リストを示す図である。
【図６】バックアップ処理の流れを示すフローチャートである。
【発明を実施するための形態】
【００１５】
以下、図面を参照しつつ本発明の実施の形態について説明する。図１は、本実施の形態に係るＭＦＰ１の構成を含むネットワークシステムの構成図である。図１に示すネットワークシステムは、ＭＦＰ１、２と、ＰＣ３、４と、ファイルサーバ５とがＬＡＮ（Ｌｏｃａｌ  Ａｒｅａ  Ｎｅｔｗｏｒｋ）６に接続された構成である。図１に示すネットワークシステムは、オフィスなどに構築される。
【００１６】
ＭＦＰ１、２は、コピー機能、ファクシミリ機能、スキャナ機能、およびプリンタ機能などの様々な機能を有する多機能装置である。ＰＣ３、４は、オフィスの社員などのユーザが使用する端末装置である。ファイルサーバ５は、ＭＦＰ１、２がＦＡＸ通信などにより取得した画像データをバックアップするための記憶装置である。
【００１７】
ＰＣ３、４のユーザは、ファイルサーバ５にバックアップされた画像データを閲覧することができる。ＰＣ３のユーザがバックアップされた画像データの閲覧を指示した場合、ＰＣ３は、閲覧対象の画像データの送信をＭＦＰ１に要求する。ＭＦＰ１は、閲覧対象の画像データをファイルサーバ５から取得し、ＰＣ３に送信する。このように、ＰＣ３のユーザは、画像データのバックアップ先にアクセスすることなく、バックアップされた画像データを閲覧することができる。
【００１８】
｛ＭＦＰの構成｝
次に、ＭＦＰ１の構成について詳しく説明する。ＭＦＰ１、２は、同一の構成を有している。このため、図１においてＭＦＰ２の構成の表示を省略するとともに、ＭＦＰ２の構成の詳細な説明を省略する。
【００１９】
ＭＦＰ１は、制御部１１と、操作部１２と、タッチパネル式ディスプレイ１３と、スキャナ部１４と、ＦＡＸ部１５と、プリンタ部１６と、記憶部１７と、ＬＡＮインタフェース１８とを備える。
【００２０】
制御部１１は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）などを有しており、ＭＦＰ１の全体制御を行う。制御部１１は、バックアップ設定部１１１と、バックアップ処理部１１２と、判定部１１３と、リストデータ作成部１１４と、画像データ要求応答部１１５とを備えている。
【００２１】
バックアップ設定部１１１は、ＭＦＰ１が取得した画像データのバックアップ先が設定されたバックアップ設定情報を管理する。バックアップ先には、ファイルサーバ５に作成された共有フォルダが指定される。バックアップ処理部１１２は、ＭＦＰ１が取得した画像データを、バックアップ設定情報に基づいてファイルサーバ５にバックアップする。判定部１１３は、記憶部１７に格納されている画像データをバックアップするかどうかを判定する。リストデータ作成部１１４は、ファイルサーバ５にバックアップされている画像データのリストを作成してＰＣ３に送信する。画像データ要求応答部１１５は、ファイルサーバ５にバックアップされた画像データの送信要求をＰＣ３から受け付けた場合、指定された画像データをファイルサーバ５から取得してＰＣ３に送信する。
【００２２】
操作部１２は、ＭＦＰ１に対する各種の指示を入力するハードウェアキーなどで構成される。タッチパネル式ディスプレイ１３は、ＭＦＰ１に関する情報、および各種の操作メニューを表示する。ユーザは、操作部１２およびタッチパネル式ディスプレイ１３を利用して、ＭＦＰ１の各種操作をすることができる。
【００２３】
スキャナ部１４は、オートドキュメントフィーダ（図示省略）にセットされた原稿、あるいはフラットベッドスキャナのガラス板上にセットされた原稿を読み取ってスキャン画像データ２２１を作成する。ＦＡＸ部１５は、公衆回線網（図示省略）を介したファクシミリ通信を行う。プリンタ部１６は、スキャン画像データ２２１、またはＦＡＸ部１５が受信した受信画像データ２１１などを印刷する。
【００２４】
記憶部１７は、ハードディスク装置あるいはフラッシュメモリなどで構成され、管理情報１７０を格納している。管理情報１７０は、記憶部１７に格納されている全ての画像データの名称、作成日時などの属性情報がリスト形式で登録された情報である。また、記憶部１７には、受信画像データ２１１を格納するＦＡＸ受信フォルダ２１と、スキャン画像データ２２１を格納するスキャンフォルダ２２とが作成されている。図１には示していないが、記憶部１７には、ＦＡＸ受信フォルダ２１、およびスキャンフォルダ２２の他に、ＭＦＰ１の機能に応じた機能別フォルダが作成されている。
【００２５】
ＬＡＮインタフェース１８は、ＬＡＮ６を介して接続する各コンピュータの間で、ＴＣＰ（Ｔｒａｎｓｍｉｓｓｉｏｎ  Ｃｏｎｔｒｏｌ  Ｐｒｏｔｏｃｏｌ）／ＩＰ（Ｉｎｔｅｒｎｅｔ  Ｐｒｏｔｏｃｏｌ）などのプロトコルを利用してデータの送受信を行う。
【００２６】
｛ＰＣ３の構成｝
ＰＣ３は、操作部３１と、モニタ３２と、ＷＥＢブラウザ３３とを備える。操作部３１は、マウスおよびキーボードであり、ＰＣ３に対する各種の指示を受け付ける。モニタ３２は、液晶ディスプレイなどである。ＷＥＢブラウザ３３は、ＭＦＰ１から送信されるウェブページに基づいて、閲覧対象の画像データを選択する選択リスト７０、あるいはバックアップされた画像データなどをモニタ３２に表示させる。
【００２７】
｛ファイルサーバ５のフォルダ構成｝
図２は、ファイルサーバ５に保存される画像データの格納状況を示す図である。ファイルサーバ５には、ＭＦＰ１から送信された画像データを格納する共有フォルダ５１と、ＭＦＰ２から送信された画像データを格納する共有フォルダ５２とが作成されている。つまり、共有フォルダ５１は、ＭＦＰ１のバックアップフォルダであり、共有フォルダ５２は、ＭＦＰ２のバックアップフォルダである。
【００２８】
共有フォルダ５１は、管理情報５１０と、受信画像データ２１１と、スキャン画像データ２２１と、画像データ５１１とを格納する。共有フォルダ５２は、管理情報５２０と、ＭＦＰ２から送信された画像データ５２１とを格納する。
【００２９】
管理情報５１０、５２０は、各共有フォルダに格納されている画像データの名称、作成日時などの属性情報がリスト形式で登録された情報である。管理情報５１０、５２０は、画像データをバックアップする時、バックアップされた画像データを閲覧する時に用いられる。
【００３０】
図３は、管理情報５１０の一例を示す図である。図３に示すように、管理情報５１０には、共有フォルダ５１に格納されている各画像データの属性情報として、ＩＤ、種別、ファイル名、サイズ、および作成日時が記録されている。たとえば、受信画像データ２１１のＩＤは「０００２」に設定されている。ＩＤ「０００２」は、ＭＦＰ１が受信画像データ２１１を取得した際に設定される。受信画像データ２１１の種別は、ＦＡＸ受信データであることを示す「受信」となっている。管理情報５１０、５２０は、共有フォルダ５１、５２に新たに画像データがバックアップされた場合、共有フォルダ５１、５２に格納されている画像データが変更された場合などに更新される。
【００３１】
なお、管理情報１７０には、記憶部１７に格納される全ての画像データの属性情報が図３と同様に記録される。この結果、受信画像データ２１１の属性情報およびスキャン画像データ２２１の属性情報が、管理情報１７０、５１０の両者に登録されることになる。このとき、受信画像データ２１１のＩＤおよびスキャン画像データ２２１のＩＤは、管理情報１７０、５１０で共通である。
【００３２】
｛ネットワークシステムの処理の流れ｝
以下、図１に示すネットワークシステムで実行される画像データのバックアップ処理、バックアップされた画像データの閲覧処理について詳しく説明する。図４は、図１に示すネットワークシステムの処理の流れを示す図である。
【００３３】
初期状態として、ＦＡＸ受信フォルダ２１には、受信画像データ２１１が格納されており、共有フォルダ５１には、受信画像データ２１１および画像データ５１１が格納されている。つまり、受信画像データ２１１および画像データ５１１は、バックアップ済みである。スキャン画像データ２２１は、スキャンフォルダ２２および共有フォルダ５１に格納されていない。
【００３４】
｛バックアップ処理の概要｝
まず、ＭＦＰ１において、スキャナ部１４が、ユーザの操作に応じてスキャン画像データ２２１を作成し、スキャンフォルダ２２に格納する。管理情報１７０には、スキャン画像データ２２１の属性情報が新たに登録される。このとき、スキャン画像データ２２１には、ＩＤ「０００３」が付与される。また、ＰＣ４が、ＰＣ４のユーザの操作に応じて、共有フォルダ５１に格納された受信画像データ２１１を編集する。この結果、共有フォルダ５１に格納された受信画像データ２１１のサイズが変化する。
【００３５】
バックアップ処理部１１２は、予め設定された実行タイミングで、ＦＡＸ受信フォルダ２１と、スキャンフォルダ２２とを含む機能別フォルダに新たに格納された画像データをバックアップする（ステップＳ１）。バックアップ処理部１１２には、実行タイミングとして毎週月曜日の午前０時などの時刻情報が設定される。また、６時間ごとなど、一定の時間間隔でバックアップするように実行タイミングを設定してもよい。これにより、バックアップ処理部１１２は、機能別フォルダに格納された画像データを定期的にバックアップすることができる。
【００３６】
バックアップ処理（ステップＳ１）の結果、スキャンフォルダ２２に新たに格納されたスキャン画像データ２２１が共有フォルダ５１にバックアップされる。また、ＭＦＰ１は、バックアップされた受信画像データ２１１の内容の変更を検出し、記憶部１７に格納されている受信画像データ２１１をファイルサーバ５に再送する。これにより、共有フォルダ５１にバックアップされていた受信画像データ２１１が、編集前の状態に復元される。
【００３７】
ＭＦＰ２は、ＭＦＰ１と同様に、予め設定された実行タイミングでバックアップ処理を実行する（ステップＳ２）。バックアップ処理（ステップＳ１およびＳ２）の詳細については後述する。
【００３８】
｛バックアップされた画像データの表示｝
ＰＣ３のユーザは、選択リスト７０を利用して、バックアップされた画像データの中からモニタ３２に表示させる対象を選択することができる。選択リスト７０は、閲覧対象に設定されている共有フォルダに格納されている画像データのリストである。リストデータ作成部１１４には、閲覧対象の共有フォルダとして、共有フォルダ５１、５２が予め設定されている。
【００３９】
ＰＣ３のユーザの操作に応じて、選択リスト７０をモニタ３２に表示させる選択リスト表示処理（ステップＳ３）が開始される。ＰＣ３は、選択リスト表示要求をＭＦＰ１に送信する（ステップＳ３１）。選択リスト表示要求に応じて、リストデータ作成部１１４は、閲覧対象に設定されている共有フォルダ５１、５２に対応する管理情報５１０、５２０の送信をファイルサーバ５に要求する（ステップＳ３２）。
【００４０】
ファイルサーバ５は、ステップＳ３２に示す管理情報の送信要求に基づいて、管理情報５１０、５２０をＭＦＰ１に送信する（ステップＳ３３）。リストデータ作成部１１４は、受信した管理情報５１０、５２０に基づいて選択リスト７０を作成し、選択リスト７０をウェブページとしてＰＣ３に送信する（ステップＳ３４）。ＰＣ３のＷＥＢブラウザ３３は、受信したウェブページに基づいて選択リスト７０をモニタ３２に表示させる。
【００４１】
図５は、モニタ３２に表示される選択リスト７０を示す図である。図５に示す選択リスト７０において、リスト表示部７１には、閲覧対象の共有フォルダ５１、５２にそれぞれ格納されている画像データの一覧が表示される。画像表示ボタン７２は、リスト表示部７１において選択された画像データの表示を指示するボタンである。
【００４２】
なお、リストデータ作成部１１４には、閲覧対象の共有フォルダとして、共有フォルダ５１、５２のいずれか一方が設定されていてもよい。共有フォルダ５２が閲覧対象に設定されていた場合、選択リスト７０は、管理情報５２０に基づいて作成され、リスト表示部７１には、画像データ５２１のみが表示される。
【００４３】
ＰＣ３のユーザは、モニタ３２に表示された選択リスト７０を操作して、バックアップされた画像データの表示を指示する。これにより、画像データ送信処理（ステップＳ４）が開始される。
【００４４】
たとえば、ＰＣ３のユーザが、画像データ５１１のファイル名「ｆｉｌｅＣ」を選択して画像表示ボタン７２をクリックする。ＰＣ３は、画像データ５１１の送信要求をＭＦＰ１に送信する（ステップＳ４１）。画像データ要求応答部１１５は、画像データ５１１が記憶部１７に格納されていないことを確認し、画像データ５１１の送信要求をファイルサーバ５に転送する（ステップＳ４２）。ファイルサーバ５は、画像データ５１１の送信要求に応じて、画像データ５１１をＭＦＰ１に送信する（ステップＳ４３）。画像データ要求応答部１１５は、画像データ５１１をウェブページとしてＰＣ３に送信する（ステップＳ４４）。
【００４５】
ＰＣ３において、ＷＥＢブラウザ３３が、受信した画像データ５１１をモニタ３２に表示させることにより、ステップＳ４に示す処理が終了する。なお、画像データ要求応答部１１５は、送信要求のあった画像データ５１１が記憶部１７に格納されている場合、記憶部１７に格納されている画像データ５１１をＰＣ３に送信する。この場合、画像データ５１１の送信要求の転送（ステップＳ４２）と、ファイルサーバ５からＭＦＰ１への画像データ５１１の送信（ステップＳ４３）とは、実行されない。
【００４６】
なお、ＰＣ３のユーザは、リスト表示部７１において選択された画像データ５１１のダウンロードを指示してもよい。この場合、ＰＣ３は、上記と同様の処理により取得した画像データ５１１を、ＰＣ３が有するハードディスク装置（図示省略）などに保存する。
【００４７】
｛バックアップ処理の流れ｝
以下、バックアップ処理（ステップＳ１およびＳ２）について、ＭＦＰ１の動作を例にして詳しく説明する。図６は、バックアップ処理の流れを示すフローチャートである。
【００４８】
初期状態は、上記と同様である。そして、スキャナ部１４が新たにスキャン画像データ２２１を作成し、共有フォルダ５１にバックアップされている受信画像データ２１１がＰＣ４により編集される。ＭＦＰ１は、予め設定された実行タイミングでバックアップ処理（ステップＳ１）を開始する。判定部１１３が、バックアップフォルダに設定されている共有フォルダ５１から管理情報５１０を取得する（ステップＳ１１）。
【００４９】
判定部１１３は、管理情報１７０と取得した管理情報５１０とに基づいて、記憶部１７に格納されている画像データをバックアップするかどうか、あるいは、記憶部１７に格納されている画像データを再送するかどうかを判定する。具体的には、判定部１１３は、管理情報１７０に登録されているスキャン画像データ２２１を判定対象に指定し（ステップＳ１２）、スキャン画像データ２２１が管理情報５１０に登録されているかどうかを確認する。
【００５０】
スキャン画像データ２２１は、バックアップ処理（ステップＳ１）が開始される前にスキャナ部１４が作成したデータである。このため、スキャン画像データ２２１は、管理情報１７０に登録されているが、管理情報５１０に登録されていない。したがって、判定部１１３は、スキャン画像データ２２１がバックアップされていないと判定し（ステップＳ１３においてＮｏ）、スキャン画像データ２２１をバックアップすることを決定する。
【００５１】
管理情報５１０にスキャン画像データ２２１が記録されているかどうかは、管理情報１７０に登録されているスキャン画像データ２２１のＩＤ「０００３」が、管理情報５１０に記録されているかどうかを確認すればよい。また、スキャン画像データ２２１のファイル名「ｆｉｌｅＢ」の有無を確認してもよい。
【００５２】
バックアップ処理部１１２は、判定部１１３の決定に基づいて、スキャン画像データ２２１をファイルサーバ５にバックアップする（ステップＳ１４）。このとき、バックアップ設定部１１１が保持するバックアップ設定情報に基づいて、スキャン画像データ２２１の格納先が、ＭＦＰ１のバックアップフォルダである共有フォルダ５１に指定される。ファイルサーバ５は、受信したスキャン画像データ２２１を共有フォルダ５１に格納するとともに、管理情報５１０にスキャン画像データ２２１の属性情報を追加する。
【００５３】
なお、記憶部１７に格納されているスキャン画像データ２２１は、ファイルサーバ５にバックアップされる（ステップＳ１４）タイミングでは削除されない。ＭＦＰ１は、記憶部１７に新たに取得した画像データを格納できない場合などに、作成日時の古い画像データから順に記憶部１７から削除すればよい。
【００５４】
バックアップ処理部１１２は、スキャン画像データ２２１をファイルサーバ５に送信している間にバックアップの中止の指示を受け付けた場合（ステップＳ１７においてＹｅｓ）、ファイルサーバ５にスキャン画像データ２２１の削除を指示する（ステップＳ１８）。ファイルサーバ５は、ＭＦＰ１からの削除指示に応じて、共有フォルダ５１に保存中のスキャン画像データ２２１を削除する。これにより、スキャン画像データ２２１が不完全な状態で共有フォルダ５１に保存されることを防止できる。
【００５５】
次に、記憶部１７に格納された全ての画像データの判定が終了していないため（ステップＳ１９においてＮｏ）、判定部１１３は、判定対象として受信画像データ２１１を指定する（ステップＳ１２）。管理情報１７０、５１０の両者に受信画像データ２１１が登録されているため、判定部１１３は、受信画像データ２１１がバックアップ済みであると判定する（ステップＳ１３においてＹｅｓ）。
【００５６】
判定部１１３は、バックアップされた受信画像データ２１１が編集されているかどうかを確認する。上述したように、共有フォルダ５１に格納されている受信画像データ２１１はＰＣ４により編集されており、サイズが変化している。判定部１１３は、管理情報１７０、５１０に基づいて、記憶部１７に格納されている受信画像データ２１１のサイズと、バックアップされた受信画像データ２１１のサイズとが一致しないことを確認する（ステップＳ１５においてＮｏ）。これにより、判定部１１３は、バックアップされた受信画像データ２１１が編集されたと判定する。
【００５７】
なお、バックアップされた受信画像データ２１１のハッシュ値と、記憶部１７に格納されている受信画像データ２１１のハッシュ値との比較により、共有フォルダ５１に格納されている受信画像データ２１１の内容の変更の有無を確認してもよい。
【００５８】
判定部１１３の判定結果に基づいて、バックアップ処理部１１２は、受信画像データ２１１を再送し、共有フォルダ５１に格納された受信画像データ２１１の上書きをファイルサーバ５に指示する（ステップＳ１６）。これにより、共有フォルダ５１に格納された受信画像データ２１１が、バックアップされたときの状態に復元される。
【００５９】
本実施の形態に係るネットワークシステムは、バックアップフォルダに格納される画像データを編集すべきではないという運用を前提としている。このため、ＭＦＰ１は、共有フォルダ５１に格納された受信画像データ２１１の内容の変更を検出した場合、共有フォルダ５１に格納された受信画像データ２１１を復元するのである。なお、ＰＣ４のユーザが共有フォルダ５１に格納されている受信画像データ２１１を編集したいのであれば、ＰＣ４のユーザは、バックアップされた受信画像データ２１１をＰＣ４にダウンロードし、ダウンロードした受信画像データ２１１を編集すればよい。
【００６０】
受信画像データ２１１の送信中にＭＦＰ１が実行するステップＳ１７、Ｓ１８に示す処理は、上記と同様である。判定部１１３が、記憶部１７に格納された全ての画像データの判定を終了した場合（ステップＳ１９においてＹｅｓ）、図６に示す処理が終了する。
【００６１】
以上説明したように、本実施の形態に係るＭＦＰ１は、ＬＡＮ６を介して接続するファイルサーバ５に作成され、ＭＦＰ１のバックアップフォルダに設定された共有フォルダ５１に、取得した受信画像データ２１１をバックアップする。そして、ＭＦＰ１は、記憶部１７に保存されている管理情報１７０と、共有フォルダ５１に保存されている管理情報５１０とに基づいて、バックアップされた受信画像データ２１１が編集されたかどうかを判定する。したがって、ＭＦＰ１は、バックアップされた受信画像データ２１１を管理する情報を保持することなく、バックアップされた受信画像データ２１１を取得時の状態に復元することができる。
【符号の説明】
【００６２】
１、２  ＭＦＰ
３、４  ＰＣ
５  ファイルサーバ
６  ＬＡＮ
１１  制御部
３１  操作部
３２  モニタ
５１、５２  共有フォルダ
１１１  バックアップ設定部
１１２  バックアップ処理部
１１３  判定部
１１４  リストデータ作成部
１１５  画像データ要求応答部
【図１】
2010199965.tif 000003
【図２】
2010199965.tif 000004
【図３】
2010199965.tif 000005
【図４】
2010199965.tif 000006
【図５】
2010199965.tif 000007
【図６】
2010199965.tif 000008